【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
サーバが、第１のクライアント端末によって送信された共有開始要求であって、第１のトリガ操作を検出すると、前記第１のクライアント端末によって送信され、且つ、共有すべき目的の識別情報を含む前記共有開始要求を受信することと、
前記第１のクライアント端末が配置された第１の端末装置の第１の位置情報を決定し、且つ、既定の時間範囲の他の端末装置の位置情報を決定することと、
前記第１の位置情報と他の端末装置の前記位置情報とに従って、時間次元及び空間次元において前記第１の端末装置と関連付けられた第２の端末装置を決定することと、
前記目的の前記識別情報に従って共有すべき情報を決定し、且つ、第２のクライアント端末が前記共有すべき情報を提供するように前記共有すべき情報を前記第２の端末装置に送信することと、
を含む、情報共有方法。
【請求項２】
前記共有開始要求は、前記第１のクライアント端末が配置されている前記第１の端末装置の前記第１の位置情報と第１の時間情報とをさらに含み、
前記第１のクライアント端末が配置されている第１の端末装置の第１の位置情報の前記決定は、
前記第１の位置情報を前記共有開始要求から抽出することを含み、
既定の時間範囲の他の端末装置の位置情報の前記決定は、
第２のクライアント端末によって送信された共有受信要求であって、第２のトリガ操作を検出すると、前記第２のクライアント端末によって送信され、且つ、前記第２のクライアント端末が配置された第２の端末装置の第２の位置情報と第２の時間情報を含む前記共有受信要求を受信することを含み、
前記第１の位置情報と他の端末装置の前記位置情報とに従って時間次元及び空間次元において前記第１の端末装置に関連付けられた第２の端末装置の前記決定は、
前記第１の位置情報と、前記第２の位置情報と、前記第１の時間情報と、前記第２の時間情報とが既定の条件を満たすか否かを判断することと、
条件を満たす場合、前記第２の端末装置は前記第１の端末装置と関連付けられていると決定することと、
を含む、請求項１に記載の方法。
【請求項３】
前記共有開始要求は、前記第１のトリガ操作の指向方向の情報をさらに含み、
前記第１の位置情報と前記第２の位置情報と既定の条件を満たすか否かの前記判断は、
前記第１の位置情報と前記第２の位置情報に従って、前記第２の端末装置までの距離が既定の条件を満たすか否かと、前記第２の端末装置の前記第１の端末装置に対する位置が前記第１のトリガ操作の前記指向方向にあるか否かを判断することと
を含む、請求項２に記載の方法。
【請求項４】
第１のクライアント端末が、共有開始要求を生成する第１のトリガ操作を受信することと、
共有すべき目的の識別情報を決定することと、
共有開始要求を生成して、前記共有開始要求をサーバに送信することと、を含み、前記共有開始要求は、前記目的の前記識別情報を含み、その結果、前記サーバは、前記第１のクライアント端末が配置された第１の端末装置の第１の位置情報と既定の時間範囲の他の端末装置の位置情報に従って、時間次元及び空間次元において前記第１の端末装置に関連付けられた第２の端末装置を決定し、前記目的の前記識別情報を前記第２の端末装置に送信する、
情報共有方法。
【請求項５】
前記第１のクライアント端末が配置された前記第１の端末装置の現在の第１の位置情報を決定することと、前記第１の位置情報と時間情報とを前記共有開始要求に追加することと、をさらに含み、その結果、前記サーバは、前記共有開始要求から前記第１の位置情報を抽出し、前記第１の位置情報を前記端末装置に共有する、
請求項４に記載の方法。
【請求項６】
前記第１のトリガ操作の指向方向を決定することと、前記指向方向の情報を前記共有開始要求に追加することとをさらに含み、その結果、前記サーバが前記端末装置間の関連付け関係を前記指向方向の前記情報に従って判断する、
請求項５に記載の方法。
【請求項７】
第１のクライアント端末が共有開始要求を生成する第１のトリガ操作を受信することは、
第１のトリガ操作を検出することと、
前記第１のトリガ操作が検出されると、現在のページに表示されるコンテンツを決定することと、
前記現在のページが特定の取引対象物の情報の表示に使用される場合、前記第１のトリガ操作が共有開始要求の生成に使用されると決定することと、
を含み、
共有すべき目的の識別情報の前記決定は、
前記現在のページに表示された前記特定の取引対象物を前記目的として決定し、前記目的の識別情報を決定することを、
含む、請求項４に記載の方法。
【請求項８】
前記第１のトリガ操作の追跡に従って、前記現在のページが画面から移動して出るアニメーション効果を表示することを、
さらに含む請求項７に記載の方法。
【請求項９】
第２のクライアント端末が、共有受信要求を生成する第２のトリガ操作を受信することと、
前記第２のクライアント端末が配置された第２の端末装置の第２の位置情報を決定することと、
共有受信要求を生成して、前記共有受信要求をサーバに送信することであって、前記共有受信要求は、前記第２の位置情報と第２の時間情報を含み、その結果、前記サーバは、前記第２の位置情報と、前記第２の時間情報と、共有開始要求に含められた他の端末装置の位置情報及び時間情報とに従って、前記第２の端末装置に関連付けられた第１の端末装置を決定し、対応する共有開始要求に含められた目的の識別情報に従って共有すべき情報を決定し、前記共有すべき情報を前記第２の端末装置に送信する、送信することと、
前記サーバによって送信された前記共有すべき情報に従って応答情報を提供することと、
を含む、情報共有方法。
【請求項１０】
前記第２のトリガ操作の追跡に従って、共有ユーザインタフェースを画面内に移動させるアニメーション効果を表示すること、
をさらに含む、請求項９に記載の方法。
【請求項１１】
サーバに適用可能な情報共有装置であって、
第１のクライアント端末によって送信された共有開始要求であって、第１のトリガ操作を検出すると前記第１のクライアント端末によって送信され、且つ、共有すべき目的の識別情報を含む前記共有開始要求を受信するように構成された共有開始要求受信ユニットと、
前記第１のクライアント端末が配置された第１の端末装置の第１の位置情報を決定し、且つ、既定の時間範囲の他の端末装置の位置情報を決定するように構成された情報決定ユニットと、
前記第１の位置情報と他の端末装置の前記位置情報とに従って、時間次元及び空間次元において前記第１の端末装置に関連付けられた第２の端末装置を決定するように構成された関連付け関係決定ユニットと、
前記目的の前記識別情報に従って共有すべき情報を決定し、且つ、第２のクライアント端末が前記共有すべき情報を提供するように、前記共有すべき情報を前記第２の端末装置に送信するように構成された共有情報提供ユニットと、
を含む、前記情報共有装置。
【請求項１２】
前記共有開始要求は、前記第１のクライアント端末が配置された第１の端末装置の前記第１の位置情報及び第１の時間情報をさらに含み、
前記情報決定ユニットは、
前記第１の位置情報を前記共有開始要求から抽出するように構成された第１の抽出サブユニットと、
第２のクライアント端末によって送信された共有受信要求であって、第２のトリガ操作を検出すると前記第２のクライアント端末によって送信され、且つ、前記第２のクライアント端末が配置された第２の端末装置の第２の位置情報と第２の時間情報を含む前記共有受信要求を受信するように構成された第２の抽出サブユニットと、
を含み、
前記関連付け関係決定ユニットは、
前記第１の位置情報と、前記第２の位置情報と、前記第１の時間情報と、前記第２の時間情報が既定の条件を満たすか否かを判断するように構成された判断サブユニットと、
前記判断サブユニットの判断結果が肯定の場合、前記第２の端末装置は前記第１の端末装置と関連付けられていると決定するように構成された決定サブユニットと、
を含む、請求項１１に記載の装置。
【請求項１３】
前記共有開始要求は、前記第１のトリガ操作の指向方向の情報をさらに含み、
前記判断サブユニットは、
前記第１の位置情報と前記第２の位置情報とに従って、前記第２の端末装置までの距離が既定の条件を満たすか否かと、前記第２の端末装置の前記第１の端末装置に対する位置が前記第１のトリガ操作の前記指向方向にあるか否かとを判断する
ように構成された、請求項１２に記載の装置。
【請求項１４】
第１のクライアント端末に適用可能な情報共有装置であって、
共有開始要求を生成する第１のトリガ操作を受信するように構成された第１のトリガ操作受信ユニットと、
共有すべき目的の識別情報を決定するように構成された識別情報決定ユニットと、
共有開始要求を生成し、前記共有開始要求をサーバに送信するように構成された共有開始要求生成ユニットと、を含み、前記共有開始要求は、前記目的の前記識別情報を含み、その結果、前記サーバは、前記第１のクライアント端末が配置された第１の端末装置の第１の位置情報と既定の時間範囲の他の端末装置の位置情報とに従って、時間次元及び空間次元において前記第１の端末装置に関連付けられた第２の端末装置を決定し、前記目的の前記識別情報を前記第２の端末装置に送信する、
前記情報共有装置。
【請求項１５】
第１の位置情報決定ユニットをさらに含み、前記第１の位置情報決定ユニットは、前記第１のクライアント端末が配置された前記第１の端末装置の現在の第１の位置情報を決定し、且つ、前記第１の位置情報と時間情報を前記共有開始要求に追加するように構成され、その結果、前記サーバは、前記共有開始要求から前記第１の位置情報を抽出し、前記第１の位置情報を前記端末装置に共有する、
請求項１４に記載の装置。
【請求項１６】
操作方向決定ユニットをさらに含み、前記操作方向決定ユニットは、前記第１のトリガ操作の指向方向を決定し、且つ、前記指向方向の情報を前記共有開始要求に追加するように構成され、その結果、前記サーバは、前記指向方向の前記情報に従って、前記端末装置間の関連付け関係を判断する、
請求項１５に記載の装置。
【請求項１７】
前記第１のトリガ操作受信ユニットは、
第１のトリガ操作を検出するように構成された検出サブユニットと、
前記第１のトリガ操作が検出されると、現在のページに表示されたコンテンツを決定するように構成されたページコンテンツ決定サブユニットと、
前記現在のページが特定の取引対象物の情報の表示に使用される場合、前記第１のトリガ操作は、共有開始要求の生成に使用されると決定するように構成されたページコンテンツ判断サブユニットと、
を含み、
前記識別情報決定ユニットは、
前記現在のページに表示された前記特定の取引対象物を前記目的と決定し、且つ、前記目的の識別情報を決定するように
構成された、請求項１４に記載の装置。
【請求項１８】
前記第１のトリガ操作の追跡に従って、前記現在のページが画面から移動して出るアニメーション効果を表示するように構成された第１のアニメーション効果表示ユニット
をさらに含む、請求項１７に記載の装置。
【請求項１９】
第２のクライアント端末に適用可能な情報共有装置であって、
共有受信要求を生成する第２のトリガ操作を受信するように構成された第２のトリガ操作受信ユニットと、
前記第２のクライアント端末が配置された第２の端末装置の第２の位置情報を決定するように構成された第２の位置情報決定ユニットと、
共有受信要求を生成して、前記共有受信要求をサーバに送信するように構成された共有受信要求生成ユニットであって、前記共有受信要求は、前記第２の位置情報と第２の時間情報を含み、その結果、前記サーバは、前記第２の位置情報と、前記第２の時間情報と、共有開始要求に含められた他の端末装置の位置情報及び時間情報とに従って、前記第２の端末装置に関連付けられた第１の端末装置を決定し、対応する共有開始要求に含められた目的の識別情報に従って共有すべき情報を決定し、前記共有すべき情報を前記第２の端末装置に送信する、前記共有受信要求生成ユニットと、
前記サーバによって送信された前記共有すべき情報に従って応答情報を提供するように構成された応答情報提供ユニットと、
を含む、前記情報共有装置。
【請求項２０】
第２のトリガ操作の追跡に従って、共有ユーザインタフェースが画面内に移動するアニメーション効果を表示するように構成された第２のアニメーション効果表示ユニット
をさらに含む、請求項１９に記載の装置。
【手続補正２】
【補正対象書類名】明細書
【補正対象項目名】全文
【補正方法】変更
【補正の内容】
【発明の詳細な説明】
【発明の名称】情報共有方法及び装置
【技術分野】
【０００１】
本出願は、情報処理技術の分野に関し、詳細には、情報共有方法及び装置に関する。
【背景技術】
【０００２】
電子商取引プラットフォームの益々の向上と端末装置技術の急速な発展に伴って、モバイル端末プラットフォームに基づいて開発されたアプリケーション（Ａｐｐ）が次々と出現し、ユーザは、電子商取引プラットフォームがもたらす便利さをいつでも何処でも享受できる。
【０００３】
実際の応用中、ユーザは一般的に、以下の要件を有する。すなわち、ユーザＡが、ユーザＡの端末装置で閲覧した取引対象物（店対象または商品対象等）の情報を、ユーザＢがユーザＢの端末装置で情報の詳細を見ることができるように、ユーザＢと共有する必要がある。例えば、ユーザは、ディナーの席で、店／製品を他の人に勧めたい。別の例では、ユーザが、電子商取引Ａｐｐを通して購入したばかりのハンドバッグを持って通りを歩いている時、通行人が、そのハンドバッグはどこで買えるかをユーザに尋ねる。この場合、ユーザは、自分の端末装置を開いて、取引記録から購入したハンドバッグの詳細ページを探し出し、そのページを通行人と共有する等である。
【０００４】
この目的を達成するために、先行技術においては、一般的に、共有制御がＡｐｐのページに備えられ、ユーザＡが共有制御を通して共有要求を開始すると、Ａｐｐは、両方のユーザによってインストールされた即時通信ツールを通してページリンクをユーザＢに送信してよい。しかしながら、この方法は、少なくとも次の欠点を有する。第１に、この方法は、即時通信ツールに依存しており、ユーザの一方が即時通信ツールをインストールしていない場合、または、ユーザが互いに友達でない場合、リンクの共有は実施できない。第２に、即時通信ツールがサードパーティツールである時、共有される情報は、リンクを含むので、このリンクは、サードパーティの即時通信ツールによって遮断される場合がある。
【０００５】
簡単に言うと、取引対象物情報共有のより便利で効率的な実施方法が、当業者が解決する必要のある技術的問題となっている。
【発明の概要】
【０００６】
本出願の実施形態は、取引対象物情報共有方法及び装置を提供し、これによって、取引対象物情報共有を便利で効率的に実施できる。
【０００７】
本出願は、以下の解決法を提供する。
【０００８】
情報共有方法は、
サーバが、第１のクライアント端末によって送信された共有開始要求であって、第１のトリガ操作を検出すると第１のクライアント端末によって送信され、且つ、共有すべき目的の識別情報を含む共有開始要求を受信することと、
第１のクライアント端末が配置された第１の端末装置の第１の位置情報を決定し、且つ、既定の時間範囲の他の端末装置の位置情報を決定することと、
第１の位置情報と他の端末装置の位置情報とに従って、時間次元及び空間次元で第１の端末装置に関連付けられた第２の端末装置を決定することと、
目的の識別情報に従って共有すべき情報を決定し、第２のクライアント端末が共有すべき情報を提供するように共有すべき情報を第２の端末装置に送信することと、
を含む。
【０００９】
情報共有方法は、
第１のクライアント端末が、共有開始要求を生成する第１のトリガ操作を受信することと、
共有すべき目的の識別情報を決定することと、
共有開始要求を生成して、共有開始要求をサーバに送信することと
を含み、共有開始要求は、目的の識別情報を含み、その結果、サーバは、第１のクライアント端末が配置された第１の端末装置の第１の位置情報と既定の時間範囲の他の端末装置の位置情報とに従って、時間次元及び空間次元で第１の端末装置と関連付けられた第２の端末装置を決定し、目的の識別情報を第２の端末装置に送信する。
【００１０】
情報共有方法は、
第２のクライアント端末が、共有受信要求を生成する第２のトリガ操作を受信することと、
第２のクライアント端末が配置された第２の端末装置の第２の位置情報を決定することと、
共有受信要求を生成し、共有受信要求をサーバに送信することであって、共有受信要求は、第２の位置情報と第２の時間情報を含み、その結果、サーバは、第２の位置情報と、第２の時間情報と、共有開始要求に含められた他の端末装置の位置情報と時間情報とに従って、第２の端末装置に関連付けられた第１の端末装置を決定し、対応する共有開始要求に含められた目的の識別情報に従って、共有すべき情報を決定し、共有すべき情報を第２の端末装置に送信する、共有受信要求を生成し、共有受信要求をサーバに送信することと、
サーバが送信した共有すべき情報に従って応答情報を提供することと、
を含む。
【００１１】
情報共有装置は、サーバに適用可能である。当該装置は、
第１のクライアント端末によって送信された共有開始要求であって、第１のトリガ操作を検出すると第１のクライアント端末によって送信され、且つ、共有すべき目的の識別情報を含む共有開始要求を受信するように構成された共有開始要求受信ユニットと、
第１のクライアント端末が配置された第１の端末装置の第１の位置情報を決定し、且つ、既定の時間範囲の他の端末装置の位置情報を決定するように構成された情報決定ユニットと、
第１の位置情報と他の端末装置の位置情報とに従って、時間次元及び空間次元で第１の端末装置に関連付けられた第２の端末装置を決定するように構成された関連付け関係決定ユニットと、
目的の識別情報に従って共有すべき情報を決定し、第２のクライアント端末が共有すべき情報を提供するように共有すべき情報を第２の端末装置に送信するように構成された共有情報提供ユニットと、
を含む。
【００１２】
情報共有装置は、第１のクライアント端末に適用可能で、且つ、
共有開始要求を生成する第１のトリガ操作を受信するように構成された第１のトリガ操作受信ユニットと、
共有すべき目的の識別情報を決定するように構成された識別情報決定ユニットと、
共有開始要求を生成して、共有開始要求をサーバに送信するように構成された共有開始要求生成ユニットと、を含み、共有開始要求は、目的の識別情報を含み、その結果、サーバは、第１のクライアント端末が配置された第１の端末装置の第１の位置情報と既定の時間範囲の他の端末装置の位置情報とに従って、時間次元及び空間次元において第１の端末装置に関連付けられた第２の端末装置を決定し、目的の識別情報を第２の端末装置に送信する。
【００１３】
情報共有装置は、第２のクライアント端末に適用可能であり、
共有受信要求を生成する第２のトリガ操作を受信するように構成された第２のトリガ操作受信ユニットと、
第２のクライアント端末が配置された第２の端末装置の第２の位置情報を決定するように構成された第２の位置情報決定ユニットと、
共有受信要求を生成して、共有受信要求をサーバに送信するように構成された共有受信要求生成ユニットであって、共有受信要求は、第２の位置情報と第２の時間情報を含み、その結果、サーバは、第２の位置情報と、第２の時間情報と、共有開始要求に含められた他の端末装置の位置情報と時間情報とに従って、第２の端末装置に関連付けられた第１の端末装置を決定し、対応する共有開始要求に含められた目的の識別情報に従って共有すべき情報を決定し、共有すべき情報を第２の端末装置に送信する、共有受信要求生成ユニットと、
サーバから送信された共有すべき情報に従って応答情報を提供するように構成された応答情報提供ユニットと、
を含む。
【００１４】
本出願で提供された特定の実施形態に従って、本出願は以下の技術的効果を開示する。
【００１５】
本出願の実施形態を用いて、端末装置間の関連付け関係が、時間次元及び空間次元における関連付けに従って確立されることによって、関連付け関係に従って端末装置間で情報を共有してよい。従って、情報の共有は、ユーザが互いに友達か否かに関わらず、即時通信ツールを使用せずに便利で効率的に実施されてよい。
【００１６】
本出願を実施する製品はいずれも、上記利点の全てを必ずしも同時に達成するとは限らないことは明らかである。
【００１７】
本出願の実施形態の技術的解決法または先行技術をより明確に説明するために、実施形態の記載に使用される図面を以下に簡単に紹介する。以下に記載の図面は、本出願の一部の実施形態に過ぎず、当業者は、創造的労力無く、これらの図面に従って他の図面を取得できることは明らかである。
【図面の簡単な説明】
【００１８】
【図１】本出願の実施形態による、サーバ側の方法のフローチャートである。
【図２】本出願の実施形態による、第１のクライアント端末側の方法のフローチャートである。
【図３】本出願の実施形態による、第２のクライアント端末側の方法のフローチャートである。
【図４−１】インタフェースを例示する概略図である。
【図４−２】インタフェースを例示する概略図である。
【図４−３】インタフェースを例示する概略図である。
【図５】本出願の実施形態による、第１の装置の概略図である。
【図６】本出願の実施形態による、第２の装置の概略図である。
【図７】本出願の実施形態による、第３の装置の概略図である。
【発明を実施するための形態】
【００１９】
本出願の実施形態の技術的解決法を、本出願の実施形態において添付の図面を通して明確に記載する。記載の実施形態は、本出願の実施形態の全てではなく実施形態の一部に過ぎないことは明らかである。本出願の実施形態に基づいて当業者が導き出した全ての他の実施形態は、本出願の保護範囲に入るものとする。
【００２０】
即時通信ツール等の制限を受けずに、ユーザが取引対象物情報をより速く、より便利に共有できるために、本出願の実施形態においては、おそらく、電子商取引アプリケーション内で、ユーザ間の友達関係に従ったマッチングの代わりに、端末装置間の関連付け関係のマッチングが、時間次元及び空間次元の情報を使用して行われてよい。言い換えると、二人のユーザＡとＢの端末装置が両方とも、同じ電子商取引アプリケーションをインストールしている限り、互いの情報共有は、即時通信ツールのサポート無しに実施されてよい。このようにして、ユーザが互いに知り合いでない（例えば、ユーザは単に通りで会った他人同士である）場合でさえ、情報共有を実施できる。
【００２１】
特定の実施態様中、関与する実体は、クライアント端末とサーバを含んでよい。クライアント端末は、ユーザ端末装置にインストールされた電子商取引アプリケーションであってよく、サーバは、クラウドベースコンピューティングシステムに配置されてよい。同じ共有プロセスの異なる役割に従って、クライアント端末は、共有開始者のクライアント端末と、共有受信者のクライアント端末とに分類されてよい。記載を容易にするために、前者は、第１のクライアント端末と呼ばれてよく、後者は、第２のクライアント端末と呼ばれてよい。
【００２２】
特定の実施態様を以下に詳細に記載する。
【００２３】
実施形態Ｉ
実施形態Ｉは、主に、サーバの視点から特定の実施態様を紹介する。図１を参照すると、実施形態Ｉは、取引対象物情報共有方法を提供し、当該方法は、以下のステップを含んでよい。
【００２４】
Ｓ１０１：サーバは、第１のクライアント端末によって送信された共有開始要求を受信する。ここで、共有開始要求は、第１のトリガ操作を検出すると、第１のクライアント端末によって送信され、共有すべき目的取引対象物の識別情報を含む。
【００２５】
詳細には、共有を開始する第１のトリガ操作は、前もって規定されてよい。例えば、既存の端末装置は、一般にタッチスクリーンを備えており、従って、第１のトリガ操作は、アプリケーションインタフェースが、取引対象物に関する情報を表示した状態で、ある一定の時間長（例えば、２秒または３秒）の間、タッチスクリーン上のある位置を長押しし、次に、左側または右側等、ある一定の方向にスライドすることと規定されてよい。明らかに、実際の応用中は、第１のトリガ操作は、他の機能の操作（例えば、ページをめくる操作、または、リンクをクリックする操作）と区別できる限り、他の方法としてさらに規定されてよく、ユーザは、ある一定の方法で操作法を知らされる。
【００２６】
ユーザＡが、取引対象物に関する情報をユーザＢに共有する必要がある時、ユーザＡは、最初に、ユーザＡの端末装置の第１のクライアント端末を開いてよく、そして、取引対象物（例えば、商品対象物等の詳細ページ）に関連付けられたページに入って、第１のトリガ操作を行ってよい。それに応じて、第１のクライアント端末は、共有すべき目的取引対象物の識別情報を決定し、共有開始要求を生成し、目的取引対象物の識別情報を要求に追加して、要求をサーバに送信してよい。
【００２７】
詳細には、共有すべき目的取引対象物を決定する様々な方法があってよい。例えば、第１のトリガ操作が受信される時、取引対象物の詳細ページがユーザインタフェースに表示される場合、ページに表示された取引対象物が、共有すべき目的取引対象物として決定されてよい。目的取引対象物の識別情報の様々な表現方法があってよい。例えば、識別情報は、現在のページのＵＲＬ（ユニバーサルリソースロケータ）であってもよく、または、各取引対象物に対してサーバによって割り当てられたＩＤ情報等であってよい。識別情報は、現在のページを表示する過程で、サーバによってクライアント端末に提供されてよく、従って、第１のトリガ操作受信後、目的取引対象物の識別情報は、サーバに前もって提供された情報に従って決定されてよい。
【００２８】
Ｓ１０２：第１のクライアント端末が配置された第１の端末装置の第１の位置情報が決定され、他の端末装置の位置情報が、既定の時間範囲で決定される。
【００２９】
第１のクライアント端末の共有開始要求を受信した後、サーバは、第１のクライアント端末が配置された第１の端末装置に関連付けられた第２の端末装置を決定してよい。詳細には、第２の端末装置は、時間次元及び空間次元の情報に従って決定されてよい。言い換えると、２つの端末装置が、ある地理的位置に同時に出現する場合、その２つの端末装置は関連付け関係を有し、取引対象物情報の共有が、その２つの端末装置間で行われてよいと、決定されてよい。言い換えると、第１のクライアント端末の共有開始要求が受信された後、この時点で、第１の端末装置の近くに他の端末装置があるか否かを判断してよく、ある場合、その端末装置は、第１の端末装置に関連付けられてよい。従って、第１のクライアント端末が配置された端末装置の第１の位置情報が決定されてよく、既定の時間範囲で（例えば、共有開始要求を受信した前後１０秒の時間範囲で）他の端末装置の位置情報も決定して、位置情報と時間情報に従った関連付け決定を容易にしてよい。
【００３０】
詳細には、第１の端末装置と他の端末装置の位置情報を決定する様々な特定の実施態様があってよい。例えば、一実施態様においては、各端末装置は、各リアルタイム位置情報を定期的にサーバに送信してよい。このような定期的に送信されたリアルタイム位置情報は、実際の応用中、他の機能を実施するために使用されてよいことは明らかである。例えば、ユーザが、「近くにいるユーザが買っている物」等の機能を使用する必要がある時、クライアント端末は、クライアント端末の位置情報を定期的にサーバ等に送信することを許可されてよい。簡単に言うと、この場合、サーバは、各クライアント端末によって定期的に送信された位置情報に従って、第１のクライアント端末が配置されている第１の端末装置の第１の位置情報と他の端末装置の位置情報とを決定してよい。例えば、各クライアント端末によって送信された最新の位置情報を使用して、各端末装置の最新の位置情報等を表してよい。
【００３１】
あるいは、他の特定の実施態様においては、各クライアント端末がリアルタイム位置情報を定期的に送信しない場合、第１のクライアント端末が第１のトリガ操作を受信した後、第１の端末装置の位置情報が決定されてよく、位置情報は、共有すべき目的取引対象物の識別情報と共に、共有開始要求に含められ、サーバに送信される。従って、サーバは、共有開始要求から第１の端末装置の第１の位置情報を直接、抽出してよい。さらに、受信者である第２のクライアント端末は、事前にユーザのために、共有を受信する第２のトリガ操作をさらに規定してよい。例えば、第２の端末装置のタッチスクリーン上のある位置をある一定の時間、長押しして、次に、左から右へのスライド操作を行う等であってよい。このようにして、第２のトリガ操作を検出した後、第２のクライアント端末は、第２の端末装置の第２の位置情報を決定し、第２の位置情報を含む共有受信要求を生成し、共有受信要求をサーバに送信してよい。このようにして、共有開始要求を受信後、サーバは、共有開始要求を受信前後のある時間範囲に受信した共有受信要求に含められた第２の位置情報を抽出し、次に、第１の位置情報と第２の位置情報の間の関連付け関係を判断してよい。
【００３２】
特定の実施態様中、第１のトリガ操作及び第２のトリガ操作は相関してよく、２つのユーザ操作の連続性が、この相関によって実現され、その結果、情報共有の過程がより鮮明に実現されることに注目すべきである。例えば、第１のトリガ操作は、ある時間、続く長押しの後、左から右へのスライドであり、第２のトリガ操作も、ある時間、続く長押しの後、左から右へのスライドであってよい。明らかに、特定の実施中、右から左へのスライド、上から下へのスライド、下から上へのスライド等を採用してもよい。
【００３３】
さらに、第１のトリガ操作及び第２のトリガ操作の特定の操作方法は同じであってよく、例えば、第１のトリガ操作及び第２のトリガ操作は両方とも、タッチスクリーン上で３秒間の長押しの後、右方向へのスライド等であってよいことに留意すべきである。この場合、クライアント端末は、トリガ操作受信後、トリガ操作は、共有開始要求のトリガまたは共有受信要求のトリガに使用されたかを区別する必要があってよい。詳細には、特定の実施中、共有開始者は、一般に、共有開始者のアプリケーションにおいて、特定の共有すべき取引対象物情報が配置されたページを見つけた後でのみ、第１のトリガ操作を行うことを考えると、受信者として、ユーザは、アプリケーションを開いて、アプリケーションの主インタフェース（様々なタイプのナビゲーション情報等が主インタフェースに表示されてよい）に入ると、第２のトリガ操作を行うことができる。従って、トリガ操作受信後、クライアント端末は、最初に、アプリケーションのユーザインタフェースに現在、表示されているコンテンツを判断してよく、コンテンツが取引対象物の特定の情報である場合、共有開始要求を開始する必要があると決定してよく、そうでなく、コンテンツがナビゲーションページ等である場合、共有受信要求を開始する必要があると決定してよい。さらに、行われたトリガ操作の妥当性をユーザが決定するのを容易にするために、長押し時間が３秒に達すると、アプリケーションで現在、表示されているページに「フローティング」等の効果が提示されてよく、そして、ユーザは、行われたトリガ操作がクライアント端末によって検出されたと決定してよい。よって、ユーザは、右方向へのスライド等の次の操作をさらに行ってよい。さらに、スライド中、第１の端末装置側で、現在のページが左から右に移動して表示画面から出るアニメーション効果をさらに表示してよく、第２の端末装置側において、第１の端末装置のページが左から右に表示画面内に移動するアニメーション効果が表示される等である。
【００３４】
Ｓ１０３：時間次元及び空間次元において第１の端末装置に関連付けられた第２の端末装置は、第１の位置情報と他の端末装置の位置情報に従って決定される。
【００３５】
第１の端末装置の第１の位置情報と他の端末装置の位置情報を決定した後、時間次元及び空間次元において第１の端末装置に関連付けられた第２の端末装置を決定してよい。詳細には、第１の端末装置と他の端末装置の間の距離等が計算されてよく、端末装置までの距離が閾値未満で、第１の端末装置と他の端末装置が同じ時間範囲にある場合、第１の端末装置とその端末装置は、ある場所に同時に出現すると証明されてよい。従って、その２つは互いに関連していると決定されてよい。時間次元における関連付けの計算に関しては、サーバは、各端末装置によって送信された位置情報が受信された時間を基準として使用してよい。あるいは、ネットワーク遅延等の現象が原因のエラーを防ぐために、端末装置は、位置情報を送信する過程で時間情報をさらに伝えてよい。ここで、時間情報は、トリガ操作を受信する時間であってよい。このようにして、サーバは、各端末装置によってトリガ操作を受信する時間に従って、時間次元の関連付け計算を行うことができる。
【００３６】
明らかに、第１の端末装置の第１の位置情報と第１の時間情報が、第１のトリガ操作に従って送信され、第２の端末装置の第２の位置情報と第２の時間情報が、第２のトリガ操作に従って送信される場合、サーバは、現在の共有開始要求を受信した時点の前後の既定の時間範囲に受信した共有受信要求をフェッチし、共有受信要求から第２の位置情報を抽出し、第１の位置情報と第２の位置情報が既定の条件を満たす（例えば、距離が閾値未満である）か否かを判断し、既定の条件を満たす場合、対応する第２の端末装置は、第１の端末装置に関連付けられていると決定してよい。
【００３７】
さらに、上記のように、第１のトリガ操作の特定の操作方法は、左から右へのスライド等の指向性操作を含んでよく、この場合、左から右、右から左等、第１のトリガ操作の指向方向特徴も、共有開始要求に含められてよい。この時点で、第１の位置情報及び第２の位置情報が既定の条件を見たすか否かを決定する時、その２つの間の距離を判断することに加えて、その２つの間の相対的位置関係をさらに決定して、第２の端末装置の第１の端末装置に対する位置が第１のトリガ操作の指向方向にあるか否か、例えば、第２の端末装置が第１の端末装置の右側にあるか否かをさらに判断してよく、指向方向にある場合、その２つが既定の条件を満たすか否かをさらに決定してよく、第１の端末装置と第２の端末装置は互いに関連付けられているか否かをさらに決定する。
【００３８】
位置情報は、一般的にＧＰＳ等のシステムによって与えられ、経度及び緯度情報等によって表されるので、２つの端末装置間の相対的位置関係を詳細に判断する時、「上、下、左、右」等の位置関係は、「東、西、南、北」等の方位情報に最初に変換されてよく、２つの端末装置間の相対的位置情報が条件を満たすか否かを次に、ＧＰＳ情報に含まれる方位情報に従って決定することに注目すべきである。例えば、共有開始要求に含められた指向方向が左から右の時、この時点で、第１の端末装置の近くで、第１の端末装置の東側に配置された第２の端末装置があるか否か等を判断してよい。
【００３９】
簡単に言うと、本出願の実施形態を用いて、端末装置間の関連付け関係が、時間次元及び空間次元の関連付けに従って確立されることによって、関連付け関係に従って端末装置間で取引対象物情報を共有してよい。従って、取引対象物情報の共有は、ユーザが互いに友達であるか否かに関わらず、即時通信ツールを使用せずに便利且つ効率的に実施されてよい。
【００４０】
実施形態ＩＩ
実施形態ＩＩは、主に第１のクライアント端末の視点から本出願の実施形態を紹介する。図２を参照すると、実施形態ＩＩは、取引対象物情報共有方法を提供し、方法は以下のステップを含んでよい。
【００４１】
Ｓ２０１：第１のクライアント端末は、共有開始要求を生成する第１のトリガ操作を受信する。
【００４２】
Ｓ２０２：共有すべき目的取引対象物の識別情報を決定する。
【００４３】
特定の実施中、取引対象物の情報がページに表示される時、第１のトリガ操作が送信されてよく、従って、第１のトリガ操作が検出されると、ページに表示されるコンテンツが決定される。現在のページが特定の取引対象物の情報の表示に使用される場合、第１のトリガ操作は、共有開始要求の生成に使用されると決定される。さらに、現在のページに表示された特定の取引対象物は、共有すべき目的取引対象物と決定されてよく、ページのＵＲＬ及び取引対象物のＩＤ等の目的取引対象物の識別情報が決定される。
【００４４】
サーバが、時間次元及び空間次元において関連付けを判断するのを容易にするために、第１のクライアント端末が配置されている第１の端末装置の現在の第１の位置情報が、さらに決定されてよく、サーバが共有開始要求から第１の位置情報を抽出するように、第１の位置情報は共有開始要求に含められる。さらに、サーバが時間次元で関連付けを判断するように、時間情報がさらに共有開始要求に含められてよい。
【００４５】
さらに、第１のトリガ操作の指向方向がさらに決定されてよく、指向方向の特徴情報が、共有開始要求に含められ、その結果、サーバは、指向方向の特徴情報に従って端末装置間の関連付け関係を判断する。言い換えると、端末装置間の距離だけでなく、判断の精度をさらに向上させるために、端末装置間の相対的位置関係も判断できる。
【００４６】
Ｓ２０３：共有開始要求が生成され、サーバに送信される。ここで、共有開始要求は、目的取引対象物の識別情報を含み、その結果、サーバは、第１のクライアント端末が配置された第１の端末装置の第１の位置情報と、既定の時間範囲の他の端末装置の位置情報とに従って、時間次元及び空間次元において第１の端末装置に関連付けられた第２の端末装置を決定し、目的取引対象物の識別情報を第２の端末装置に送信する。
【００４７】
共有効果をより良く、より直感的にするために、また、ユーザのトリガ操作をクライアント端末が検出したか否かをユーザが判断するのを容易にするために、第１のトリガ操作を行う過程で、アニメーション効果を協同的にさらに使用してよい。例えば、取引対象物の詳細ページ上を３秒長押しした後、ページは、「フローティング」効果を表示してよく、ユーザが続けて右方向にスライドする時、第１のトリガ操作の実行追跡をさらに決定してよく、現在のページが画面から移動して出るアニメーション効果が表示される。
【００４８】
実施形態ＩＩＩ
実施形態ＩＩＩは、主に、第２のクライアント端末の視点から紹介される。実施形態Ｉに示すように、各クライアント端末が、その位置情報を、ある一定の時間間隔に従って、常に送信する場合、サーバ端末は、各クライアント端末によって送信された最新の受信位置情報に従って直接、関連付け計算を行ってよい。あるいは、位置情報の送信が、第２のトリガ操作によってさらにトリガされてよい。実施形態ＩＩＩおいて、後者の状況のみを紹介する。図３を参照すると、実施形態ＩＩＩは、取引対象物情報共有方法を提供し、方法は、以下のステップを含んでよい。
【００４９】
Ｓ３０１：第２のクライアント端末は、共有受信要求を生成する第２のトリガ操作を受信する。
【００５０】
第２のクライアント端末に関しては、共有に関連するトリガ操作を受信後、第２のクライアント端末は、最初に、現在のページに表示されたコンテンツを判断してよい。現在のページが特定の取引対象物等の詳細ページでなく、アプリケーションのホームページ、ナビゲーションページ等であることが分かる場合、共有受信要求を生成するトリガ操作が受信されたと決定してよい。
【００５１】
Ｓ３０２：第２のクライアント端末が配置された第２の端末装置の第２の位置情報が決定される。
【００５２】
Ｓ３０３：共有受信要求が生成され、サーバに送信される。ここで、共有受信要求は、第２の位置情報と第２の時間情報を含み、その結果、サーバは、第２の位置情報と、第２の時間情報と、共有開始要求に含められた他の端末装置の位置情報と時間情報とに従って、第２の端末装置に関連付けられた第１の端末装置を決定し、対応する共有開始要求に含められた目的取引対象物の識別情報に従って共有すべき情報を決定し、共有すべき情報を第２の端末装置に送信する。
【００５３】
Ｓ３０４：応答情報が、サーバによって送信された共有すべき情報に従って提供される。
【００５４】
共有効果をより良く、より直感的にするために、同様に、第２のトリガ操作を行う過程でも協同的にアニメーション効果を使用してよい。例えば、アプリケーションのホームページ上を３秒間、長押しした後、ページは、「フローティング」効果を表示してよく、ユーザが右方向に続けてスライドすると、第２のトリガ操作の実行追跡をさらに決定してよく、共有ページが画面内に移動するアニメーション効果が表示される。
【００５５】
第２のクライアント端末によって受信された共有情報は、簡単な絵ではなく、アプリケーション内の特定のページであり、受信者であるユーザは、そのページに基づいて、購入及び収集等の操作を直接、実行できることに注目すべきである。
【００５６】
さらに、実施形態ＩＩ及び実施形態ＩＩＩは両方とも実施形態Ｉと一致しており、記載の視点が単に異なるだけであることに注意されたい。従って、関連する特定の実施に関して、実施形態Ｉの紹介を参照してよく、ここで繰り返し記載はしない。
【００５７】
本出願の実施形態で提供する技術的解決をよりよく理解するために、特定のアプリケーションの例を用いて、特定の図面を参照して紹介する。
【００５８】
例えば、ユーザＡとユーザＢが対面して会話しており、ユーザＡが最近、電子商取引Ａｐｐを使ってウェディングドレスを購入したことをユーザＢが知り、ユーザＢは、ウェディングドレスの詳細情報を知りたく、ＡｐｐがユーザＡとユーザＢの携帯電話にインストールされていると、仮定する。この場合、ユーザＡとユーザＢは両方とも、自分の携帯電話でＡｐｐを開くことができる。そして、ユーザＡは、注文履歴記録等からウェディングドレスの詳細ページを探し出し、そのページを３秒間長押ししてよい。この時点で、詳細ページは、図４−１の左部分に示すように、「フローティング」効果を表示してよい。さらに、ユーザＡは、右方向にスライドの操作を続けて行ってよい。それに応じて、ユーザＡのＡｐｐクライアント端末は、共有開始要求を生成し、現在のページに表示された取引対象物、すなわち、ウェディングドレスの識別情報を共有開始要求に追加し、要求をサーバに送信してよい。さらに、ユーザＡの携帯電話の位置情報と対応する時間情報、または、トリガ操作の操作方向情報も同時にサーバに送信されてよい。
【００５９】
ユーザＡが上記操作を行う過程で、ユーザＢも、ユーザＢの携帯電話のＡｐｐを開き、Ａｐｐのホームページに入りさえすれば、ユーザＢは、ページ上で対応するトリガ操作を行うことができる、例えば、ユーザＢも、３秒間の長押しを行ってよい。図４−１の右部分を参照すると、この時点で、Ａｐｐホームページも「フローティング」状態で表示されてよい。次に、ユーザＢも左から右へのスライド操作を行うことができる。それに応じて、ユーザＢのＡｐｐクライアント端末は、共有受信要求を生成し、ユーザＢの携帯電話の現在の位置情報と対応する時間情報を共有受信要求に追加し、要求をサーバに送信してよい。
【００６０】
ユーザＡ及びユーザＢのクライアント端末によって送信された要求を受信後、サーバは、トリガ操作の各位置情報、時間情報、及び、指向方向等の情報を要求から抽出してマッチング操作を行ってよい。ユーザＢの携帯電話が、ユーザＡのクライアント端末によって送信された共有開始要求を受信した前後のある一定の時間範囲に、ちょうど近くに出現し、ユーザＡの携帯電話の右側に出現したと判断される場合、それら２つは、関連付け関係を有すると決定されてよい。それに応じて、ユーザＡのクライアント端末によって送信された共有すべき取引対象物の情報は、ユーザＢのクライアント端末に提供されてよい。
【００６１】
共有の過程において、幾つかのアニメーション効果が、トリガ操作の実行追跡に従って実施されてよい。例えば、図４−２を参照すると、左部分は、ユーザＡが左から右へのスライドを行う時、ウェディングドレスの詳細情報を表示するページは、右側に移動して画面から出てよいことを示している。それに応じて、図４−２の右部分は、ユーザＢが左から右へのスライドを行う時、ウェディングドレスの詳細情報を表示しているページは、右側に移動して画面に入ってよく、同時に、元のＡｐｐホームページは移動して画面から出ることを示している。操作が終了した後、サーバは、ユーザＡのクライアント端末に成功メッセージをさらに送信してよい。この時点で、ユーザＡのクライアント端末は、例えば、図４−３の左部分に示すように「ヒュー！受信に成功」のプロンプト情報をさらに提供してよい。明らかに、最初に表示されていた取引対象物の詳細ページは、画面から出ている。しかしながら、ある時間（例えば、２秒）後、取引対象物の元の詳細ページが、再度、表示されてよい。図４−３の右部分に示される受信者、すなわち、ユーザＢに関しては、ユーザは、さらに、受信に成功したとプロンプトで知らされてよく、購入及び収集等の操作が、取引対象物に対して正常に行われてよい。
【００６２】
実施形態Ｉで提供される取引対象物情報共有方法に一致して、本出願の実施形態は、取引対象物情報共有装置をさらに提供する。当該装置は、サーバに適用可能である。図５を参照すると、装置は、
第１のクライアント端末によって送信された共有開始要求であって、第１のトリガ操作を検出すると第１のクライアント端末によって送信され、且つ、共有すべき目的取引対象物の識別情報を含む共有開始要求を受信するように構成された共有開始要求受信ユニット５０１と、
第１のクライアント端末が配置された第１の端末装置の第１の位置情報を決定し、且つ、既定の時間範囲の他の端末装置の位置情報を決定するように構成された情報決定ユニット５０２と、
第１の位置情報と、他の端末装置の位置情報とに従って、時間次元及び空間次元において第１の端末装置に関連付けられた第２の端末装置を決定するように構成された関連付け関係決定ユニット５０３と、
目的取引対象物の識別情報に従って共有すべき情報を決定し、且つ、第２のクライアント端末が共有すべき情報を提供するように共有すべき情報を第２の端末装置に送信するように構成された共有情報提供ユニット５０４と、
を含む。
【００６３】
特定の実施中、共有開始要求は、第１のクライアント端末が配置された第１の端末装置の第１の位置情報と第１の時間情報をさらに含み、
情報決定ユニット５０２は、詳細には、
第１の位置情報を共有開始要求から抽出するように構成された第１の抽出サブユニットと、
第２のクライアント端末によって送信された共有受信要求であって、第２のトリガ操作を検出すると第２のクライアント端末によって送信され、且つ、第２のクライアント端末が配置された第２の端末装置の第２の位置情報と第２の時間情報とを含む共有受信要求を受信するように構成された第２の抽出サブユニットと
を含んでよく、
関連付け関係決定ユニット５０３は、詳細には、
第１の位置情報と、第２の位置情報と、第１の時間情報と、第２の時間情報とが既定の条件を満たすか否かを判断するように構成された判断サブユニットと、
判断サブユニットの判断結果が肯定の場合、第２の端末装置は第１の端末装置に関連付けられていると決定するように構成された決定サブユニットと
を含んでよい。
【００６４】
その上、共有開始要求は、第１のトリガ操作の指向方向特徴情報をさらに含み、
判断サブユニットは、詳細には、
第１の位置情報と第２の位置情報に従って、第２の端末装置までの距離が既定の条件を満たすか否かと、第２の端末装置の第１の端末装置に対する位置が第１のトリガ操作の指向方向にあるか否かを判断する
ように構成される。
【００６５】
本出願の実施形態ＩＩで提供された取引対象物情報共有方法に一致して、本出願の実施形態は、取引対象物情報共有装置をさらに提供する。当該装置は、第１のクライアント端末に適用可能である。図６を参照すると、装置は、詳細には、
共有開始要求を生成する第１のトリガ操作を受信するように構成された第１のトリガ操作受信ユニット６０１と、
共有すべき目的取引対象物の識別情報を決定するように構成された識別情報決定ユニット６０２と、
共有開始要求を生成し、共有開始要求をサーバに送信するように構成された共有開始要求生成ユニット６０３と、
を含んでよく、共有開始要求は目的取引対象物の識別情報を含んでよく、その結果、サーバは、第１のクライアント端末が配置された第１の端末装置の第１の位置情報と、既定の時間範囲の他の端末装置の位置情報とに従って、時間次元及び空間次元において第１の端末装置と関連付けられた第２の端末装置を決定し、目的取引対象物の識別情報を第２の端末装置に送信する。
【００６６】
装置は、
第１の位置情報決定ユニットをさらに含んでよく、第１の位置情報決定ユニットは、第１のクライアント端末が配置された第１の端末装置の現在の第１の位置情報を決定し、且つ、第１の位置情報と時間情報を共有開始要求に追加するように構成され、その結果、サーバは、共有開始要求から第１の位置情報を抽出して、第１の位置情報を端末装置と共有する。
【００６７】
さらに、装置は、
操作方向決定ユニットをさらに含んでよく、操作方向決定ユニットは、第１のトリガ操作の指向方向を決定し、指向方向の特徴情報を共有開始要求に追加するように構成され、その結果、サーバは、指向方向の特徴情報に従って端末装置間の関連付け関係を判断する。
【００６８】
第１のトリガ操作受信ユニットは、
第１のトリガ操作を検出するように構成された検出サブユニットと、
第１のトリガ操作が検出されると、現在のページに表示されたコンテンツを決定するように構成されたページコンテンツ決定サブユニットと、
現在のページが特定の取引対象物の情報の表示に使用される場合、第１のトリガ操作は共有開始要求の生成に使用されると決定するように構成されたページコンテンツ判断サブユニットと、
を含み、
識別情報決定ユニットは、詳細には、
現在のページに表示された特定の取引対象物を目的取引対象物として決定し、目的取引対象物の識別情報を決定するように構成される。
【００６９】
その上、装置は、
第１のトリガ操作の実行追跡に従って、現在のページが移動して画面から出るアニメーション効果を表示するように構成された第１のアニメーション効果表示ユニット
をさらに含んでよい。
【００７０】
本出願の実施形態ＩＩＩで提供された取引対象物情報共有方法に一致して、本出願の実施形態は、取引対象物情報共有装置をさらに提供する。当該装置は、第２のクライアント端末に適用可能である。図７を参照すると、装置は、詳細には、
共有受信要求を生成する第２のトリガ操作を受信するように構成された第２のトリガ操作受信ユニット７０１と、
第２のクライアント端末が配置された第２の端末装置の第２の位置情報を決定するように構成された第２の位置情報決定ユニット７０２と、
共有受信要求を生成し、共有受信要求をサーバに送信するように構成された共有受信要求生成ユニット７０３であって、共有受信要求は、第２の位置情報と第２の時間情報とを含み、その結果、サーバは、第２の位置情報と、第２の時間情報と、共有開始要求に含められた他の端末装置の位置情報及び時間情報とに従って、第２の端末装置に関連付けられた第１の端末装置を決定し、対応する共有開始要求に含められた目的取引対象物の識別情報に従って共有すべき情報を決定し、共有すべき情報を第２の端末装置に送信する、共有受信要求生成ユニット７０３と、
サーバによって送信された共有すべき情報に従って、応答情報を提供するように構成された応答情報提供ユニット７０４と
を含んでよい。
【００７１】
特定の実施中、装置は、
第２のトリガ操作の実行追跡に従って、共有ユーザインタフェースが画面内に移動するアニメーション効果を表示するように構成された第２のアニメーション効果表示ユニット
をさらに含んでよい。
【００７２】
本出願の実施形態を用いて、端末装置間の関連付け関係を時間次元及び空間次元における関連付けに従って確立することによって、関連付け関係に従って端末装置間で取引対象物情報を共有する。従って、取引対象物情報の共有は、ユーザが互いに友達か否かに関わらず、即時通信ツールを用いずに便利且つ効率的に実施されてよい。
【００７３】
上記実施態様の記載を通して、本出願は、ソフトウェアと必要なユニバーサルハードウェアプラットフォームとによって実施できることを、当業者は明確に理解できる。このような理解に基づいて、本質的に本出願の技術的解決は、または、先行技術に寄与する部分は、ソフトウェア製品の形で実現されてよい。ソフトウェア製品は、ＲＯＭ／ＲＡＭ、磁気ディスク、または、光学ディスク等の記憶媒体に記憶されてよく、コンピュータ装置（パーソナルコンピュータ、サーバ、または、ネットワーク装置であってよい）が本出願の実施形態の方法または実施形態の一定の部分を実行するのを可能にする幾つかの命令を含んでよい。
【００７４】
本明細書に様々な実施形態を段階的に記載した。実施形態間の同じまたは類似の部分は、互いに参照してよい。各実施形態において、他の実施形態と異なる部分は、強調して記載している。特に、システムまたはシステムの実施形態は、方法の実施形態とほぼ類似しているので、比較的簡単に記載している。また、関連する部分に関しては、方法の実施形態の記載を参照してよい。上記システム及びシステムの実施形態は、単に例示であり、ここで、別個の部分として記載したユニットは、物理的に別個であってもなくてもよく、ユニットとして表示された部分は、物理的ユニットであってもなくてもよく、それらは、同じ場所に配置されてもよく、または、複数のネットワークユニットに分散されてもよい。この実施形態の解決法の目的は、実際の要件に従ってモジュールの一部または全てを選択することによって実施されてよい。当業者は、創造的努力無く、本出願を理解、実施し得る。
【００７５】
本出願で提供される取引対象物情報共有方法及び装置を上記に詳細に示した。本出願の原理及び実施態様をこの文書で具体的な例を適用して記載した。実施形態の上記記載は、本出願の方法とその中心的な考えの理解の助けとなるためにのみ使用される。一方、当業者は、本出願の考えに従って、特定の実施態様及び出願の範囲に修正を行ってよい。結論として、本明細書の内容は、本出願に対する制限と解釈すべきではない。
【手続補正３】
【補正対象書類名】図面
【補正対象項目名】図１
【補正方法】変更
【補正の内容】
【図１】
2018505480.tif 000001
【手続補正４】
【補正対象書類名】図面
【補正対象項目名】図２
【補正方法】変更
【補正の内容】
【図２】
2018505480.tif 000002
【手続補正５】
【補正対象書類名】図面
【補正対象項目名】図３
【補正方法】変更
【補正の内容】
【図３】
2018505480.tif 000003